(57)【特許請求の範囲】
【請求項１】
工場で生産された複数のユニットを現場で組み立てて建築されるユニット式建物を設計する際にこのユニット式建物の内部にインナーバルコニを配置するユニット式建物設計用ＣＡＤのインナーバルコニ入力方法であって、先ず、標準的なユニットとして指定された標準指定ユニットを入力配置しておき、その後、この仮配置された状態の標準指定ユニットの内部に前記インナーバルコニを配置するインナーバルコニ領域を設定することを特徴とするユニット式建物設計用ＣＡＤのインナーバルコニ入力方法。
【請求項２】
請求項１に記載したユニット式建物設計用ＣＡＤのインナーバルコニ入力方法において、前記インナーバルコニを設定する際には、前記インナーバルコニの種別を選択し、続いて、前記インナーバルコニの大きさを選択した後、選択した前記インナーバルコニを配置すべき前記標準指定ユニットを指示し、さらに指示した前記標準指定ユニットの内部で前記インナーバルコニ領域を設定する方向を指示し、その後、設定した前記インナーバルコニ領域および前記インナーバルコニに必要とされる追加柱を画面上に描くことを特徴とするユニット式建物設計用ＣＡＤのインナーバルコニ入力方法。
【請求項３】
請求項１または請求項２に記載したユニット式建物設計用ＣＡＤのインナーバルコニ入力方法において、設定した前記インナーバルコニ領域に基づいて前記ユニット式建物の内外装設定の基準線として用いられるモジュールが自動生成されるとともに、設定した前記インナーバルコニ領域に基づいて前記ユニット式建物の外周に配置される外壁が自動生成されることを特徴とするユニット式建物設計用ＣＡＤのインナーバルコニ入力方法。
【請求項４】
請求項１から請求項３のいずれかに記載したユニット式建物設計用ＣＡＤのインナーバルコニ入力方法において、設定した前記インナーバルコニ領域に基づいてバルコニ手摺を入力することを特徴とするユニット式建物設計用ＣＡＤのインナーバルコニ入力方法。
【請求項５】
工場で生産された複数のユニットを現場で組み立てて建築されるユニット式建物を設計する際にこのユニット式建物の内部にインナーバルコニを配置するユニット式建物設計用ＣＡＤのインナーバルコニ入力システムであって、標準的なユニットとして指定された標準指定ユニットを入力配置するユニット入力手段と、このユニット入力手段により仮配置された状態の標準指定ユニットの内部に前記インナーバルコニを配置するインナーバルコニ領域を設定するインナーバルコニ領域設定手段とを備えたことを特徴とするユニット式建物設計用ＣＡＤのインナーバルコニ入力システム。
【請求項６】
請求項５に記載したユニット式建物設計用ＣＡＤのインナーバルコニ入力システムにおいて、前記インナーバルコニ領域設定手段は、前記インナーバルコニの種別を選択する種別選択部と、前記インナーバルコニの大きさを選択するサイズ選択部と、これらの種別選択部およびサイズ選択部により選択された前記インナーバルコニを配置すべき前記標準指定ユニットを指示するユニット指示部と、このユニット指示部により指示された前記標準指定ユニットの内部で前記インナーバルコニ領域を設定する方向を指示する方向指示部と、設定した前記インナーバルコニ領域および前記インナーバルコニに必要とされる追加柱を画面上に描く配置部とを備えたことを特徴とするユニット式建物設計用ＣＡＤのインナーバルコニ入力システム。
【請求項７】
請求項５または請求項６に記載したユニット式建物設計用ＣＡＤのインナーバルコニ入力システムにおいて、前記インナーバルコニ領域設定手段により設定された前記インナーバルコニ領域を削除するインナーバルコニ領域削除手段を備えたことを特徴とするユニット式建物設計用ＣＡＤのインナーバルコニ入力システム。
【請求項８】
請求項５から請求項７のいずれかに記載したユニット式建物設計用ＣＡＤのインナーバルコニ入力システムにおいて、前記インナーバルコニ領域設定手段により設定された前記インナーバルコニ領域に基づいて前記ユニット式建物の内外装設定の基準線として用いられるモジュールを自動生成するモジュール自動生成手段と、前記インナーバルコニ領域設定手段により設定された前記インナーバルコニ領域に基づいて前記ユニット式建物の外周に配置される外壁を自動生成する外壁自動生成手段とを備えたことを特徴とするユニット式建物設計用ＣＡＤのインナーバルコニ入力システム。
【請求項９】
請求項５から請求項８のいずれかに記載したユニット式建物設計用ＣＡＤのインナーバルコニ入力システムにおいて、前記インナーバルコニ領域設定手段により設定された前記インナーバルコニ領域に基づいてバルコニ手摺を入力するバルコニ手摺入力手段を備えたことを特徴とするユニット式建物設計用ＣＡＤのインナーバルコニ入力システム。
【発明の詳細な説明】
【０００１】
【発明の属する技術分野】
本発明は、ユニット式建物設計用ＣＡＤのインナーバルコニ入力方法およびそのシステムに関し、工場で生産された複数のユニットを現場で組み立てて建築されるユニット式建物の設計においてこのユニット式建物の内部にインナーバルコニ（屋外に突出して設けられる通常のバルコニに対して屋内に設けられるバルコニをこのように呼ぶ）を配置する際に利用できる。
【０００２】
【背景技術】
近年、コンピュータ技術の発達に伴って、建物の建築設計には、ＣＡＤシステムが用いられるようになってきた。そして、工場で生産された複数のユニットを現場で組み立てて建築されるユニット式建物の設計においても、ＣＡＤ化の要請がある。
ところで、このようなユニット式建物の構成要素であるユニットには、各種のものがある。例えば、最も標準的な大きさおよび形状を有する矩形状の標準ユニット、標準よりも大きな高さ寸法を有する矩形状の階高ユニット、あるいは、特殊な形状若しくは用途のユニットとしては、台形ユニット、セットバックユニット（引っ込みユニット）、カーポートユニット（車庫ユニット）、ピロティユニット（庇ユニット）などがある。また、内部にインナーバルコニが配置されるユニットも、特殊なユニットのうちの一つである。
従って、ユニット式建物を設計するにあたっては、このように複数種類用意された各ユニットを選択してユニット式建物の各部位にこれらを配置していかなければならない。
【０００３】
【発明が解決しようとする課題】
しかしながら、ユニット式建物を設計するにあたって、前述したように複数種類用意された各ユニットを選択してユニット式建物の各部位に配置する作業は、ユニットの種類が多いことから、設計者の判断が錯綜する原因となり、単純に各ユニットを選択してこれを画面上に配置するようなＣＡＤ化を図ったとしても、効率のよい設計を行うことが困難であった。
【０００４】
特に、インナーバルコニを配置する際には、インナーバルコニには、複数の種別、複数のサイズがあるため、これらを選択しなければならず、また、インナーバルコニ領域は一つのユニット全体に渡るとは限らないことから、そのユニット内においてインナーバルコニ領域を設定する方向も指示しなければならない。このため、他の種類のユニットの配置作業と並列的にインナーバルコニの配置作業を行っていたのでは、設計者の判断がより一層錯綜することになり、設計効率が著しく低下するという問題が生じる。
【０００５】
本発明の目的は、ユニット式建物の設計においてインナーバルコニを効率よく配置できるユニット式建物設計用ＣＡＤのインナーバルコニ入力方法およびそのシステムを提供することにある。
【０００６】
【課題を解決するための手段】
本発明は、図面を参照して説明すると、工場で生産された複数のユニットを現場で組み立てて建築されるユニット式建物を設計する際にこのユニット式建物の内部にインナーバルコニを配置するユニット式建物設計用ＣＡＤのインナーバルコニ入力方法であって、先ず、標準的なユニットとして指定された標準指定ユニット１１を入力配置しておき、その後、この仮配置された状態の標準指定ユニット１１の内部に前記インナーバルコニを配置するインナーバルコニ領域１３を設定することを特徴とする。
【０００７】
また、本発明は、図面を参照して説明すると、工場で生産された複数のユニットを現場で組み立てて建築されるユニット式建物を設計する際にこのユニット式建物の内部にインナーバルコニを配置するユニット式建物設計用ＣＡＤのインナーバルコニ入力システム１０であって、標準的なユニットとして指定された標準指定ユニット１１を入力配置するユニット入力手段２０と、このユニット入力手段２０により仮配置された状態の標準指定ユニット１１の内部に前記インナーバルコニを配置するインナーバルコニ領域１３を設定するインナーバルコニ領域設定手段３０とを備えたことを特徴とする。
【０００８】
ここで、「標準的なユニットとして指定された標準指定ユニット」とは、この標準指定ユニット１１のみを集合させることにより、完成させるべきユニット式建物全体の概略像（およその外形形状や大きさ）を暫定的に決定できるようなユニットであり、例えば、最も標準的な大きさおよび形状を有する矩形状の「標準ユニット」、標準よりも大きな高さ寸法を有する矩形状の「階高ユニット」などが挙げられる。
【０００９】
このような本発明においては、インナーバルコニの配置作業を他の種類のユニットの配置作業と並列的に行うのではなく、先ず、インナーバルコニを配置すべきユニットであることを考慮に入れずに、あるいは考慮に入れたとしてもインナーバルコニの大きさ、サイズ、領域の方向といった詳細な設計項目までは考慮せずに、標準的なユニットとして指定された標準指定ユニット１１を入力配置しておき、その後、この仮配置された状態の標準指定ユニット１１の内部に、詳細な設計項目を考慮しながらインナーバルコニを配置することにより、標準指定ユニット１１を特殊なユニットであるインナーバルコニ領域１３を有するユニットに置き換える。
【００１０】
このため、最初の段階では、インナーバルコニの大きさ、サイズ、領域の方向といった詳細な設計項目まで考慮する必要はなく、標準指定ユニット１１を入力配置するだけであるので、設計者の入力操作の簡易化が図られ、設計時間が短縮される。
また、設計者が一度に多くの判断を強いられることはないので、設計者の負担が軽減されるとともに、入力ミスの発生が低減される。
【００１１】
さらに、仮配置される標準指定ユニット１１は、一定の容積（平面図としては、面積）を確保できる標準的なユニットであるので、仮配置した標準指定ユニット１１が、後にインナーバルコニ領域１３を有するユニットに置き換えられるか否かにかかわらず、この標準指定ユニット１１を集合させることで、設計の初期の段階でユニット式建物全体の概略像（およその外形形状や大きさ）を捉えることができるようになり、設計の容易化が図られ、これらにより前記目的が達成される。
【００１２】
また、本発明のユニット式建物設計用ＣＡＤのインナーバルコニ入力方法において、前記インナーバルコニを設定する際には、前記インナーバルコニの種別を選択し、続いて、前記インナーバルコニの大きさを選択した後、選択した前記インナーバルコニを配置すべき前記標準指定ユニット１１を指示し、さらに指示した前記標準指定ユニット１１の内部で前記インナーバルコニ領域１３を設定する方向を指示し、その後、設定した前記インナーバルコニ領域１３および前記インナーバルコニに必要とされる追加柱１４を画面上に描くようにすることが望ましい。
【００１３】
そして、本発明のユニット式建物設計用ＣＡＤのインナーバルコニ入力システム１０において、前記インナーバルコニ領域設定手段３０は、前記インナーバルコニの種別を選択する種別選択部３１と、前記インナーバルコニの大きさを選択するサイズ選択部３２と、これらの種別選択部３１およびサイズ選択部３２により選択された前記インナーバルコニを配置すべき前記標準指定ユニット１１を指示するユニット指示部３３と、このユニット指示部３３により指示された前記標準指定ユニット１１の内部で前記インナーバルコニ領域１３を設定する方向を指示する方向指示部３４と、設定した前記インナーバルコニ領域１３および前記インナーバルコニに必要とされる追加柱１４を画面上に描く配置部３５とを備えた構成とすることが望ましい。
【００１４】
このような手順でインナーバルコニの配置に必要な各詳細設計項目を設定していくことで、あるいは、このような各部３１〜３５を備えた構成のインナーバルコニ領域設定手段３０を設けることで、インナーバルコニの配置作業がより一層効率よく行われるようになる。
【００１５】
さらに、本発明のユニット式建物設計用ＣＡＤのインナーバルコニ入力システム１０は、前記インナーバルコニ領域設定手段３０により設定された前記インナーバルコニ領域１３を削除するインナーバルコニ領域削除手段４０を備えていることが望ましい。
このようなインナーバルコニ領域削除手段４０を備えた構成とすれば、一旦設定したインナーバルコニ領域１３を自在に解除して元の標準指定ユニット１１に戻すことができるため、設計の変更や設計ミスの修正等が容易に行えるようになり、設計の効率化がより一層図られる。
【００１６】
また、本発明のユニット式建物設計用ＣＡＤのインナーバルコニ入力方法において、設定した前記インナーバルコニ領域１３に基づいて前記ユニット式建物の内外装設定の基準線として用いられるモジュール１７（１７Ａ），１８が自動生成されるとともに、設定した前記インナーバルコニ領域１３に基づいて前記ユニット式建物の外周に配置される外壁６１（６２，６３）が自動生成されるようにすることが望ましい。
【００１７】
そして、本発明のユニット式建物設計用ＣＡＤのインナーバルコニ入力システム１０は、前記インナーバルコニ領域設定手段３０により設定された前記インナーバルコニ領域１３に基づいて前記ユニット式建物の内外装設定の基準線として用いられるモジュール１７（１７Ａ），１８を自動生成するモジュール自動生成手段５０と、前記インナーバルコニ領域設定手段３０により設定された前記インナーバルコニ領域１３に基づいて前記ユニット式建物の外周に配置される外壁６１（６２，６３）を自動生成する外壁自動生成手段６０とを備えていることが望ましい。
【００１８】
このようにモジュール１７（１７Ａ），１８や外壁６１（６２，６３）を、設定したインナーバルコニ領域１３に基づいて自動生成するようにすれば、インナーバルコニの配置およびその配置に伴う一連の周辺設計を、効率よく行うことができるようになる。
【００１９】
さらに、本発明のユニット式建物設計用ＣＡＤのインナーバルコニ入力方法において、設定したインナーバルコニ領域１３に基づいてバルコニ手摺７１を入力することが望ましい。
【００２０】
そして、本発明のユニット式建物設計用ＣＡＤのインナーバルコニ入力システム１０は、インナーバルコニ領域設定手段３０により設定されたインナーバルコニ領域１３に基づいてバルコニ手摺７１を入力するバルコニ手摺入力手段７０を備えていることが望ましい。
【００２１】
このようにバルコニ手摺７１を、設定したインナーバルコニ領域１３に基づいて入力するようにすれば、インナーバルコニの配置およびその配置に伴う一連の周辺設計を、より一層効率よく行うことができるようになる。
【００２２】
【発明の実施の形態】
以下、本発明の一実施形態を図面に基づいて説明する。
［システムの構成］
図１には、本実施形態のユニット式建物設計用ＣＡＤのインナーバルコニ入力システム１０の構成が示されている。
システム１０は、工場で生産された複数のユニットを現場で組み立てて建築されるユニット式建物を設計するためのＣＡＤシステムの一部分であって、ユニット式建物の設計においてこのユニット式建物の内部にインナーバルコニ（屋外に突出して設けられる通常のバルコニに対して屋内に設けられるバルコニをこのように呼ぶ）を配置する際に用いられるシステムである。
【００２３】
システム１０は、標準的なユニットとして指定された標準指定ユニットを入力配置するユニット入力手段２０と、このユニット入力手段２０により仮配置された状態の標準指定ユニットの内部にインナーバルコニを配置するインナーバルコニ領域を設定するインナーバルコニ領域設定手段３０と、このインナーバルコニ領域設定手段３０により設定されたインナーバルコニ領域を削除するインナーバルコニ領域削除手段４０と、インナーバルコニ領域設定手段３０により設定されたインナーバルコニ領域に基づいてユニット式建物の内外装設定の基準線として用いられるモジュールを自動生成するモジュール自動生成手段５０と、インナーバルコニ領域設定手段３０により設定されたインナーバルコニ領域に基づいてユニット式建物の外周に配置される外壁を自動生成する外壁自動生成手段６０と、インナーバルコニ領域設定手段３０により設定されたインナーバルコニ領域に基づいてバルコニ手摺を入力するバルコニ手摺入力手段７０と、インナーバルコニ領域を描くための描画用データ等の各種情報を記憶するデータベース８０とを備えている。
【００２４】
ユニット入力手段２０により仮配置される「標準指定ユニット」とは、この標準指定ユニットのみを集合させることにより、完成させるべきユニット式建物全体の概略像（およその外形形状や大きさ）を暫定的に決定できるようなユニットであり、システム１０においては、このような「標準指定ユニット」として、最も標準的な大きさおよび形状を有する矩形状の「標準ユニット」と、標準よりも大きな高さ寸法を有する矩形状の「階高ユニット」とが用意されている。
【００２５】
なお、ユニット入力手段２０により入力配置されるユニットの種類としては、「標準指定ユニット」以外のユニット、例えば、「台形ユニット」、「セットバックユニット（引っ込みユニット）」、「カーポートユニット（車庫ユニット）」等が用意されていてもよいが、後にインナーバルコニ領域設定手段３０によりインナーバルコニ領域を設定することができるユニット（インナーバルコニ領域を有する特殊なユニットに置き換えることができるユニット）は、「標準指定ユニット」として用意された「標準ユニット」および「階高ユニット」だけである。つまり、本発明のインナーバルコニ入力システムとして機能するのは、ユニット入力手段２０のうち「標準指定ユニット」として用意された「標準ユニット」および「階高ユニット」を入力配置する部分のみである。
【００２６】
インナーバルコニ領域設定手段３０は、インナーバルコニの種別を選択する種別選択部３１と、インナーバルコニの大きさを選択するサイズ選択部３２と、これらの種別選択部３１およびサイズ選択部３２により選択されたインナーバルコニを配置すべき標準指定ユニット（但し、インナーバルコニ配置後には特殊なユニットとなるので標準指定ユニットと呼ぶことはできない）を指示するユニット指示部３３と、このユニット指示部３３により指示された標準指定ユニットの内部でインナーバルコニ領域を設定する方向を指示する方向指示部３４と、設定したインナーバルコニ領域およびインナーバルコニに必要とされる追加柱を画面上に描く配置部３５とを備えて構成されている。
【００２７】
インナーバルコニ領域削除手段４０は、一旦設定したインナーバルコニ領域を削除したいという設計者の意思を受け付ける削除選択部４１と、削除したいインナーバルコニ領域が設定されているユニットを指示するユニット指示部４２と、既に設定されているインナーバルコニ領域およびインナーバルコニに必要とされる追加柱を画面上から削除して元の標準指定ユニットに戻す配置削除部４３とを備えて構成されている。
【００２８】
モジュール自動生成手段５０は、内壁設定等に用いられる内壁モジュールを自動生成する内壁モジュール自動生成部５１と、面積算定等に用いられる面積算定芯モジュールを自動生成する面積算定芯モジュール自動生成部５２とを備えて構成されている。一般に、内壁モジュールとは、ユニットの辺上に配置されるユニットモジュールよりも内側に配置される設計用基準線であり、面積算定芯モジュールとは、ユニットの辺であってユニット式建物の外周を形成する部分よりも外側に配置される設計用基準線であるが、ここで自動生成される内壁モジュールおよび面積算定芯モジュールは、詳細は後述する如く、インナーバルコニ領域の設定に伴って追加が必要となった特別な設計用基準線である。
【００２９】
データベース８０は、ハードディスク、バルク、フロッピーディスク、ＲＯＭ（読み出し専用メモリ）、ＣＤＲＯＭ、光ディスク、磁気テープ等の既存の記憶媒体により構成されている。また、ユニット入力手段２０、インナーバルコニ領域設定手段３０、インナーバルコニ領域削除手段４０、モジュール自動生成手段５０、および外壁自動生成手段６０は、マイクロコンピュータ、ミニコン等の計算機およびこれらに組み込まれたプログラムなどにより構成されている。
【００３０】
データベース８０には、「標準指定ユニット」を含む各ユニットを画面上に描くための描画用データ、インナーバルコニ領域およびインナーバルコニに必要とされる追加柱を画面上に描くための描画用データ、各種メニュー画面の表示用データなどの読み込み用情報が予め記憶されており、また、設計者により選択、指示、設定された各種の入力情報が書き込まれて記憶されるようになっている。
【００３１】
また、システム１０は、インナーバルコニ領域および追加柱を含めた配置ユニットの描画および入力操作用メニュー表示が行われるＣＲＴディスプレイや液晶ディスプレイ等の表示手段９１と、マウス、キーボード、ライトペン、タブレット、デジタイザ等の入力手段９２と、プリンタやプロッタ等の出力手段９３とを備えている。これらの表示手段９１、入力手段９２、あるいは出力手段９３をそれぞれ構成する各機器の台数は、任意であり、一台でもよく、複数台でもよい。例えば、表示手段９１については、複数台のＣＲＴディスプレイにより構成（入力操作用メニュー画面と描画用画面とを別のディスプレイに表示するなど）してもよく、あるいは画面分割方式等を適宜用いて一台のＣＲＴディスプレイにより構成してもよい。
【００３２】
［操作方法の説明］
（インナーバルコニ領域の設定）
このような本実施形態においては、以下のようにしてユニット式建物の設計においてユニット式建物の内部にインナーバルコニを配置する。
先ず、図２に示す如く、ユニット入力手段２０により、「標準指定ユニット」として用意された「標準ユニット」または「階高ユニット」を仮の状態で入力配置しておく。この際、ユニット入力手段２０は、設計者により選択された「標準ユニット」または「階高ユニット」の描画用データをデータベース８０から読み込み、「標準ユニット」または「階高ユニット」を表示手段９１の画面上に表示する（画面Ｇ１）。なお、画面Ｇ１に表示されているのは、ユニット式建物のインナーバルコニを配置可能な二階以上の階の平面図であり、画面Ｇ１中の四つの四角形は、仮配置された状態の標準指定ユニット１１である。
【００３３】
次に、インナーバルコニ領域設定手段３０の種別選択部３１により、インナーバルコニの種別を選択するための種別選択用メニュー３１Ａを表示手段９１の画面上に表示する（画面Ｇ２）。設計者は、この種別選択用メニュー３１Ａに従って入力手段９２を用いてどの種別のインナーバルコニとするかの選択を行う。インナーバルコニの種別としては、ユニットの長辺を分割するように（つまり、ユニットの短辺に沿うように）インナーバルコニ領域の表示用区画線が入る「インナーバルコニ長辺」と、ユニットの短辺を分割するように（つまり、ユニットの長辺に沿うように）インナーバルコニ領域の表示用区画線が入る「インナーバルコニ短辺」とが用意されているが、ここでは「インナーバルコニ長辺」を選択するものとする（入力操作Ｍ１）。
【００３４】
続いて、インナーバルコニ領域設定手段３０のサイズ選択部３２により、インナーバルコニの大きさを選択するためのサイズ選択用メニュー３２Ａを表示手段９１の画面上に表示する（画面Ｇ３）。設計者は、このサイズ選択用メニュー３２Ａに従って入力手段９２を用いてどのサイズのインナーバルコニとするかの選択を行う。インナーバルコニのサイズとしては、ユニットの辺からの距離Ｌ（後述の図３の画面Ｇ６参照）が４５５ｍｍとなる「４５５」、ユニットの辺からの距離Ｌが９１０ｍｍとなる「９１０」、およびユニット全体をインナーバルコニ領域とする「全部」などが用意されているが、ここでは「９１０」を選択するものとする（入力操作Ｍ２）。
【００３５】
その後、設計者は、インナーバルコニ領域設定手段３０のユニット指示部３３により、表示手段９１の画面上において、種別選択部３１およびサイズ選択部３２で選択したインナーバルコニを配置すべきユニットを、既に仮配置されている状態の標準指定ユニット１１（「標準ユニット」または「階高ユニット」）の中から選択して入力手段９２を用いて指示する（画面Ｇ４の入力操作Ｍ３）。なお、このユニット指示部３３による指示は、「標準指定ユニット」として用意された「標準ユニット」または「階高ユニット」に対してしかできないようになっており、誤って他の種類のユニットを指示したとしても、その入力指示は無視されるか、あるいは指示できない旨の警告表示がなされるようになっている。
【００３６】
さらに、図３に示す如く、インナーバルコニ領域設定手段３０の方向指示部３４により、ユニット指示部３３で指示された標準指定ユニット１１の内部において、インナーバルコニ領域を設定する方向（位置）を入力手段９２を用いて指示する（画面Ｇ５の入力操作Ｍ４）。なお、ユニット全体がインナーバルコニ領域とされる場合、つまり、サイズ選択用メニュー３２Ａで「全部」を選択した場合には、この方向指示部３４による方向の指示は行われない。
【００３７】
すると、インナーバルコニ領域設定手段３０の配置部３５により、データベース８０から必要な描画用データが読み込まれ、表示手段９１の画面上に、インナーバルコニ領域１３が描かれる（画面Ｇ６）。また、同時に、インナーバルコニに必要とされる追加柱１４も描かれ、既に存在していた通常の柱は、必要に応じてインナーバルコニ専用柱１５に置き換えられる。
【００３８】
また、インナーバルコニ領域１３を設定しないその他の標準指定ユニット１１は、そのまま標準指定ユニット１１として使用されるか、あるいは「セットバックユニット」等の他の種類のユニットに置き換えられる。
【００３９】
（インナーバルコニ領域の態様）
図４から図６には、インナーバルコニ領域１３の各種の設定の態様が示されている。
図４には、図２の画面Ｇ２の種別選択用メニュー３１Ａで「インナーバルコニ長辺」を選択した場合の態様が示されている。図４（Ａ）において、インナーバルコニ領域設定手段３０の方向指示部３４により、図中点線で示された標準指定ユニット１１の中心よりも左側の領域を指示した場合（入力操作Ｍ５）には、図４（Ｂ）に示す如く、標準指定ユニット１１の図中左側部分にインナーバルコニ領域１３が設定され、一方、右側の領域を指示した場合（入力操作Ｍ６）には、図４（Ｃ）に示す如く、標準指定ユニット１１の図中右側部分にインナーバルコニ領域１３が設定される。
【００４０】
図５には、図２の画面Ｇ２の種別選択用メニュー３１Ａで「インナーバルコニ短辺」を選択した場合の態様が示されている。図５（Ａ）において、インナーバルコニ領域設定手段３０の方向指示部３４により、図中点線で示された標準指定ユニット１１の中心よりも上側の領域を指示した場合（入力操作Ｍ７）には、図５（Ｂ）に示す如く、標準指定ユニット１１の図中上側部分にインナーバルコニ領域１３が設定され、一方、下側の領域を指示した場合（入力操作Ｍ８）には、図５（Ｃ）に示す如く、標準指定ユニット１１の図中下側部分にインナーバルコニ領域１３が設定される。
【００４１】
図６には、インナーバルコニ領域１３の設定に伴う追加柱１４の設定の態様が示されている。
図６（Ａ）には、図２の画面Ｇ３のサイズ選択用メニュー３２Ａで「全部」を選択した場合の態様が示され、この場合には、標準指定ユニット１１の全体がインナーバルコニ領域１３となり、追加柱１４は設定されない。図６（Ｂ）には、図２の画面Ｇ２の種別選択用メニュー３１Ａで「インナーバルコニ長辺」を選択した場合の追加柱１４の設定の態様が示されている。図６（Ｃ）には、図２の画面Ｇ２の種別選択用メニュー３１Ａで「インナーバルコニ短辺」を選択した場合の追加柱１４の設定の態様が示されている。
【００４２】
（インナーバルコニ領域の削除）
このような本実施形態においては、以下のようにして一旦設定したインナーバルコニ領域１３を削除する。
先ず、図７に示す如く、インナーバルコニ領域削除手段４０の削除選択部４１により、一旦設定したインナーバルコニ領域１３を削除したいという設計者の意思を受け付けるための削除選択メニュー４１Ａを表示手段９１の画面上に表示する（画面Ｇ１１）。この削除選択メニュー４１Ａは、前述した図２の画面Ｇ２の種別選択用メニュー３１Ａと兼用されている。設計者は、入力手段９２を用いて削除選択メニュー４１Ａで「特殊ユニットの解除」を選択し（入力操作Ｍ１１）、削除したいという意思をシステム１０に入力する。
【００４３】
次に、インナーバルコニ領域削除手段４０のユニット指示部４２により、削除したいインナーバルコニ領域１３が設定されているユニット領域内を入力手段９２を用いて指示する（入力操作Ｍ１２）。
【００４４】
すると、インナーバルコニ領域削除手段４０の配置削除部４３により、既に設定されているインナーバルコニ領域１３および追加柱１４が画面上から削除され、インナーバルコニ領域１３を有する特殊なユニットは、元の標準指定ユニット１１に戻される（画面Ｇ１３）。
【００４５】
（モジュールの自動生成）
このような本実施形態においては、以下のようにしてインナーバルコニ領域１３に基づいて各種のモジュールが自動生成される。
図８には、モジュール自動生成手段５０の内壁モジュール自動生成部５１による内壁モジュール１６の生成ルールの説明図が示されている。図８（Ａ）および図８（Ｂ）の如く、インナーバルコニ領域１３の領域線（図中の太線）がユニットモジュール１６上でない場合には、インナーバルコニ領域１３の領域線の位置に内壁モジュール１７（図中点線）が生成される。
また、インナーバルコニ領域１３の領域線がユニットモジュール１６上の場合には、内壁モジュール１６は生成されない。
【００４６】
図９および図１０には、モジュール自動生成手段５０の面積算定芯モジュール自動生成部５２による面積算定芯モジュール１７の生成ルールの説明図が示されている。
図９（Ａ）および図９（Ｂ）に示す如く、インナーバルコニ領域１３の領域線がユニットモジュール１６上の場合（図中Ｈの位置）には、ユニットモジュール１６からＬ１＋Ｌ２離れた位置に面積算定芯モジュール１８（図中一点鎖線）が生成される。また、図９（Ｂ）に示す如く、インナーバルコニ領域１３の領域線が他のユニットと接していない場合（図中Ｋの位置）には、面積算定芯モジュール１８は生成されない。
【００４７】
図１０（Ａ）および図１０（Ｂ）に示す如く、インナーバルコニ領域１３の領域線がユニットモジュール１６上でない場合（図中Ｊの位置）には、インナーバルコニ領域１３の設定に伴って自動生成された内壁モジュール１７（１７Ａ）からＬ３離れた位置に面積算定芯モジュール１８が生成される。
【００４８】
図１１および図１２には、ユニット全体をインナーバルコニ領域１３とした場合（図２の画面Ｇ３のサイズ選択用メニュー３２Ａで「全部」を選択した場合）におけるモジュール自動生成の例が示されている。これらの場合には、追加柱１４はない。図１１では、インナーバルコニ領域１３の設定に伴って二本の面積算定芯モジュール１８が生成され、図１２では、インナーバルコニ領域１３の設定に伴って三本の面積算定芯モジュール１８が生成されている。
【００４９】
図１３には、ユニットの一部分をインナーバルコニ領域１３とした場合（図２の画面Ｇ２の種別選択用メニュー３１Ａで「インナーバルコニ長辺」を選択した場合）におけるモジュール自動生成の例が示されている。この場合には、インナーバルコニ領域１３の設定に伴って二本の面積算定芯モジュール１８が生成され、かつ、インナーバルコニ領域１３の設定に伴ってユニット中間位置に一本の内壁モジュール１７（１７Ａ）が生成されている。なお、ユニットモジュール１６の内側に形成されている他の内壁モジュール１７（１７Ｂ）は、インナーバルコニ領域１３の設定とは無関係に形成されたものである。また、この場合には、追加柱１４の追加設定やインナーバルコニ専用柱１５の置換設定が行われる。
【００５０】
図１４には、インナーバルコニ領域１３が連結する場合におけるモジュール自動生成の例が示されている。この場合には、インナーバルコニ領域１３の設定に伴って複数のユニットに跨る内壁モジュール１７（１７Ａ）および面積算定芯モジュール１８が生成される。
【００５１】
（外壁の自動生成）
このような本実施形態においては、以下のようにしてインナーバルコニ領域１３に基づいて外壁が自動生成される。
図１５および図１６には、ユニット全体をインナーバルコニ領域１３とした場合（図２の画面Ｇ３のサイズ選択用メニュー３２Ａで「全部」を選択した場合）における外壁自動生成の例が示されている。図１５および図１６では、外壁自動生成手段６０により、ユニット式建物の外周に配置される外壁６１のうちの主部６２が、インナーバルコニ領域１３の設定に伴って生成されている。
【００５２】
図１７には、ユニットの一部分をインナーバルコニ領域１３とした場合（図２の画面Ｇ２の種別選択用メニュー３１Ａで「インナーバルコニ長辺」を選択した場合）における外壁自動生成の例が示されている。この場合には、ユニット中間位置にもインナーバルコニ領域１３に基づいて外壁６１の主部６２が生成されている。
【００５３】
図１８および図１９では、外壁自動生成手段６０により、インナーバルコニ領域１３に基づいて、外壁６１のうちの軽量気泡コンクリートやサイディング等により形成される最外周部６３が生成されている。
【００５４】
（バルコニ手摺の入力）
このような本実施形態においては、以下のようにしてインナーバルコニ領域１３に基づいてバルコニ手摺を入力する。
図２０（Ａ）に示す如く、バルコニ手摺入力手段７０により、表示手段９１の画面上において、インナーバルコニ領域１３の頂点を入力手段９２を用いて指示する（入力操作Ｍ３１）。すると、必要箇所Ｐにバルコニ手摺７１（後述の図２１参照）が設定される。
【００５５】
また、図２０（Ｂ）に示す如く、屋外に突出して設けられる通常のバルコニ７２がある場合には、この通常のバルコニ７２の頂点もインナーバルコニ領域１３の頂点と合せて指示する（入力操作Ｍ３２）。すると、必要箇所Ｐにバルコニ手摺７１が設定される。
【００５６】
（ユニット式建物の外観図）
このような本実施形態においては、以上のようにしてインナーバルコニ領域１３の設定やその周辺設計を行った後に、図２１に示すようなユニット式建物の外観図を、表示手段９１の画面上、あるいは出力手段９３から出力される用紙等に描くようにしてもよい。
【００５７】
［本実施形態の効果］
このような本実施形態によれば、次のような効果がある。
すなわち、インナーバルコニの配置作業を他の種類のユニットの配置作業と並列的に行うのではなく、先ず、インナーバルコニを配置すべきユニットであることを考慮に入れずに、あるいは考慮に入れたとしてもインナーバルコニの大きさ、サイズ、領域の方向といった詳細な設計項目までは考慮せずに、標準指定ユニット１１を入力配置しておき、その後、この仮配置された状態の標準指定ユニット１１の内部に、詳細な設計項目を考慮しながらインナーバルコニを配置することにより、標準指定ユニット１１を特殊なユニットであるインナーバルコニ領域１３を有するユニットに置き換えることができる。
【００５８】
このため、最初の段階では、インナーバルコニの大きさ、サイズ、領域の方向といった詳細な設計項目まで考慮する必要はなく、標準指定ユニット１１を入力配置するだけであるので、設計者の入力操作の簡易化を図ることができ、設計時間を短縮できる。
また、設計者が一度に多くの判断を強いられることはないので、設計者の負担を軽減できるとともに、入力ミスの発生を低減できる。
【００５９】
さらに、仮配置される標準指定ユニット１１は、一定の容積（平面図としては、面積）を確保できる標準的なユニットであるので、仮配置した標準指定ユニット１１が、後にインナーバルコニ領域１３を有するユニットに置き換えられるか否かにかかわらず、この標準指定ユニット１１を集合させることで、設計の初期の段階でユニット式建物全体の概略像（およその外形形状や大きさ）を捉えることができるため、設計の容易化を図ることができる。
【００６０】
また、インナーバルコニ領域設定手段３０は、インナーバルコニの配置に必要な各詳細設計項目を順次設定していく種別選択部３１等の各部を備えた構成となっているので、インナーバルコニの配置作業をより一層効率よく行うことができる。
【００６１】
さらに、システム１０は、インナーバルコニ領域削除手段４０を備えているので、一旦設定したインナーバルコニ領域１３を自在に解除して元の標準指定ユニット１１に戻すことができるため、設計の変更や設計ミスの修正等を容易に行うことができ、設計の効率化をより一層図ることができる。
【００６２】
また、システム１０は、モジュール自動生成手段５０および外壁自動生成手段６０を備えているので、インナーバルコニの配置およびその配置に伴う一連の周辺設計を、効率よく行うことができる。
【００６３】
さらに、システム１０は、バルコニ手摺入力手段７０を備えているので、インナーバルコニの配置およびその配置に伴う一連の周辺設計を、より一層効率よく行うことができる。
【００６４】
【発明の効果】
以上に述べたように本発明によれば、インナーバルコニの配置作業を他の種類のユニットの配置作業と並列的に行うのではなく、先ず、インナーバルコニを配置すべきユニットであることを考慮に入れずに、あるいは考慮に入れたとしてもインナーバルコニの大きさ、サイズ、領域の方向といった詳細な設計項目までは考慮せずに、標準的なユニットとして指定された標準指定ユニットを入力配置しておき、その後、この仮配置された状態の標準指定ユニットの内部に、詳細な設計項目を考慮しながらインナーバルコニを配置することにより、標準指定ユニットを特殊なユニットであるインナーバルコニ領域を有するユニットに置き換えることができる。このため、最初の段階では、インナーバルコニの大きさ、サイズ、領域の方向といった詳細な設計項目まで考慮する必要はなく、標準指定ユニットを入力配置するだけであるので、設計者の入力操作の簡易化を図ることができ、設計時間を短縮できるうえ、設計者が一度に多くの判断を強いられることはないので、設計者の負担を軽減できるとともに、入力ミスの発生を低減でき、さらには、仮配置により標準指定ユニットを集合させることで、設計の初期の段階でユニット式建物全体の概略像（およその外形形状や大きさ）を捉えることができるという効果がある。
【００６５】
また、インナーバルコニの種別の選択、インナーバルコニの大きさの選択、インナーバルコニを配置すべきユニットの指示、インナーバルコニ領域を設定する方向の指示、および設定したインナーバルコニ領域や追加柱の描画を、この手順で順次行うようにした場合には、インナーバルコニの配置作業をより一層効率よく行うことができるという効果がある。
【００６６】
さらに、本発明のインナーバルコニ入力システムを、インナーバルコニ領域削除手段を備えた構成とした場合には、一旦設定したインナーバルコニ領域を自在に解除して元の標準指定ユニットに戻すことができるため、設計の変更や設計ミスの修正等を容易に行うことができ、設計の効率化をより一層図ることができるという効果がある。
【００６７】
また、設定したインナーバルコニ領域に基づいてモジュールや外壁を自動生成するようにした場合には、インナーバルコニの配置およびその配置に伴う一連の周辺設計を、効率よく行うことができるという効果がある。
【００６８】
さらに、設定したインナーバルコニ領域に基づいてバルコニ手摺を入力するようにした場合には、インナーバルコニの配置およびその配置に伴う一連の周辺設計を、より一層効率よく行うことができるという効果がある。
【図面の簡単な説明】
【図１】本発明の一実施形態を示すシステム構成図。
【図２】インナーバルコニ領域の設定の操作方法の第一説明図。
【図３】インナーバルコニ領域の設定の操作方法の第二説明図。
【図４】インナーバルコニ領域の設定の態様の第一説明図。
【図５】インナーバルコニ領域の設定の態様の第二説明図。
【図６】追加柱の設定の態様の説明図。
【図７】インナーバルコニ領域の削除の操作方法の説明図。
【図８】内壁モジュールの生成ルールの説明図。
【図９】面積算定芯モジュールの生成ルールの第一説明図。
【図１０】面積算定芯モジュールの生成ルールの第二説明図。
【図１１】モジュール自動生成の第一例示図。
【図１２】モジュール自動生成の第二例示図。
【図１３】モジュール自動生成の第三例示図。
【図１４】モジュール自動生成の第四例示図。
【図１５】外壁自動生成の第一例示図。
【図１６】外壁自動生成の第二例示図。
【図１７】外壁自動生成の第三例示図。
【図１８】外壁自動生成の第四例示図。
【図１９】外壁自動生成の第五例示図。
【図２０】バルコニ手摺の入力の操作方法の説明図。
【図２１】ユニット式建物の外観図。
【符号の説明】
１０  ユニット式建物設計用ＣＡＤのインナーバルコニ入力システム
１１  標準指定ユニット
１３  インナーバルコニ領域
１４  追加柱
１７（１７Ａ）  内壁モジュール
１８  面積算定芯モジュール
２０  ユニット入力手段
３０  インナーバルコニ領域設定手段
３１  種別選択部
３２  サイズ選択部
３３  ユニット指示部
３４  方向指示部
３５  配置部
４０  インナーバルコニ領域削除手段
５０  モジュール自動生成手段
５１  モジュール自動生成手段を構成する内壁モジュール自動生成部
５２  モジュール自動生成手段を構成する面積算定芯モジュール自動生成部
６０  外壁自動生成手段
７０  バルコニ手摺入力手段
７１  バルコニ手摺
【図１】
0003746095.tif 000002
【図２】
0003746095.tif 000003
【図３】
0003746095.tif 000004
【図４】
0003746095.tif 000005
【図５】
0003746095.tif 000006
【図６】
0003746095.tif 000007
【図７】
0003746095.tif 000008
【図８】
0003746095.tif 000009
【図９】
0003746095.tif 000010
【図１０】
0003746095.tif 000011
【図１１】
0003746095.tif 000012
【図１２】
0003746095.tif 000013
【図１３】
0003746095.tif 000014
【図１４】
0003746095.tif 000015
【図１５】
0003746095.tif 000016
【図１６】
0003746095.tif 000017
【図１７】
0003746095.tif 000018
【図１８】
0003746095.tif 000019
【図１９】
0003746095.tif 000020
【図２０】
0003746095.tif 000021
【図２１】
0003746095.tif 000022